(57)【要約】【課題】２つのバッチ動作を交互に切り換えて除湿動作を行う除湿装置において、室内へ供給される空気の温度変動を抑制する。【解決手段】除湿装置（10）は、ケーシング（11）に収容され且つ空気中の水分を吸着する吸着剤が担持された第１及び第２吸着素子（61,62）と、各吸着部材（61,62）の吸着剤を加熱する一方、２つのバッチ動作の間に、次のバッチ動作時に吸着側となる吸着部材（61,62）の吸着剤を所定時間（t1）に亘って冷却する熱交換器（45）と、室内への供給空気（SA）の温度を検知する供給空気温度センサ（43）と、供給空気温度センサ（43）の検知温度に基づいて熱交換器（45）での冷却時間（t1）の長さを調節する温度側時間調節部（91）とを備えている。【選択図】図５
2010281476.tif 000002
【特許請求の範囲】
【請求項１】
内部を空気が流れるケーシング（11）と、該ケーシング（11）に収容され且つ空気中の水分を吸着する吸着剤が担持された第１及び第２吸着部材（61,62）と、各吸着部材（61,62）の吸着剤を加熱する加熱機構（45）とを備え、
上記第１吸着部材（61）の吸着剤で水分を吸着すると共に上記第２吸着部材（62）の吸着剤を加熱する第１バッチ動作と、上記第２吸着部材（62）の吸着剤で水分を吸着すると共に上記第１吸着部材（61）の吸着剤を加熱する第２バッチ動作とを交互に行い、各吸着部材（61,62）を通過した空気の一方を供給空気（SA）として室内へ供給して他方を排出空気（EA）として室外へ排出する調湿装置であって、
上記２つのバッチ動作の間に、次のバッチ動作時に吸着側となる吸着部材（61,62）の吸着剤を所定時間（t1）に亘って冷却する冷却機構（45）と、
少なくとも室内への供給空気（SA）又は室外への排出空気（EA）の何れか一方の空気温度を検知する空気温度検知器（43）と、
上記空気温度検知器（43）の検知温度に基づいて上記冷却機構（45）の所定時間（t1）の長さを調節する温度側時間調節器（91）とを備えている
ことを特徴とする調湿装置。
【請求項２】
請求項１において、
上記温度側時間調節器（91）は、一のバッチ動作における空気温度検知器（43）の検知温度の最大値と最小値との差分に基づいて上記冷却機構（45）の所定時間（t1）を調節するよう構成されている
ことを特徴とする調湿装置。
【請求項３】
請求項２において、
上記温度側時間調節器（91）は、一のバッチ動作における空気温度検知器（43）の検知温度の最大値と最小値との差分が大きいほど上記冷却機構（45）の所定時間（t1）を長くするよう構成されている
ことを特徴とする調湿装置。
【請求項４】
空気中の水分を吸着する吸着剤が担持された第１及び第２吸着部材（151,152）と、該第１吸着部材（151）が配置される第１空気通路（161）と第２吸着部材（152）が配置される第２空気通路（162）とを備えたケーシング（111）と、該ケーシング（111）内に設けられて各吸着部材（151,152）の一方を加熱し他方を冷却する温度調節機構（150）と、上記第１吸着部材（151）の吸着剤を冷却すると共に第２吸着部材（152）の吸着剤を加熱する第１動作と第１吸着部材（151）の吸着剤を加熱すると共に第２吸着部材（152）の吸着剤を冷却する第２動作を切り換える温度調節切換器（154）と、上記第１空気通路（161）と第２空気通路（162）とを交互に室内への空気供給経路に切り換える空気通路切換器（141〜148）とを備えた調湿装置であって、
冷却側の吸着部材（151,152）を通過した空気を室内へ供給して加熱側の吸着部材（151,152）を通過した空気を室外へ排出する除湿運転時には、空気通路切換器（141〜148）の切換動作を温度調節切換器（154）の切換動作よりも所定の遅延時間が経過した後に実行する切換調節器（165）を備えている
ことを特徴とする調湿装置。
【請求項５】
請求項４において、
上記温度調節機構（150）は、圧縮機（153）を有して熱媒体流体が循環する熱媒回路（150）に構成される一方、上記温度調節切換器（154）は、上記熱媒回路（150）の熱媒体流体の循環方向を切り換える回路切換機構（154）に構成され、
上記切換調節器（165）は、上記圧縮機（153）の運転周波数に基づいて上記所定の遅延時間の長さを調節する周波数側時間調節器（166）を備えている
ことを特徴とする調湿装置。
【請求項６】
請求項５において、
上記周波数側時間調節器（166）は、圧縮機（153）の運転周波数が高いほど上記所定の遅延時間を長くするよう構成されている
ことを特徴とする調湿装置。
【請求項７】
請求項４〜６の何れか１つにおいて、
上記第１吸着部材（151）が第１吸着熱交換器（151）により構成されるとともに上記第２吸着部材（152）が第２吸着熱交換器（152）により構成されている
ことを特徴とする調湿装置。
【発明の詳細な説明】
【技術分野】
【０００１】
本発明は、調湿装置に関し、特に２つの吸着素子で交互に空気を除湿するものに係るものである。
【背景技術】
【０００２】
従来より、室内等を除湿する除湿装置が広く知られている。この除湿装置として、２つの吸着素子を備え、各吸着素子で交互に空気を除湿するものがある。
【０００３】
特許文献１には、この種の除湿装置が開示されている。この除湿装置は、ケーシング内の空気通路に第１吸着素子と、第２吸着素子とが区画されて配置されている。吸着素子は、空気が流通可能な基材に水分を吸着する吸着剤が担持されて構成されている。また、ケーシング内には、各吸着素子の上流側に空気を加熱するための凝縮器（加熱手段）が設けられている。
【０００４】
特許文献１に開示される除湿装置では、以下のような２つのバッチ動作が交互に行われる。まず、第１バッチ動作では、第１吸着素子で空気中の水分が吸着され、空気が除湿される。除湿された空気は、室内へ供給される。また、第１バッチ動作では、凝縮器で加熱された空気が第２吸着素子へ供給され、第２吸着素子が加熱される。その結果、第２吸着素子から空気中へ水分が放出され、第２吸着素子（吸着剤）の再生が行われる。第２吸着素子の再生に利用された空気は、室外へ排出される。一方、第２バッチ動作では、第２吸着素子で空気中の水分が吸着され、同時に第１吸着素子の再生が行われる。以上のように、この除湿装置では、第１バッチ動作と第２バッチ動作とを所定時間置きに交互に切り換える、いわゆるバッチ動作を行うことで、各吸着素子の吸着性能（即ち、除湿性能）を低下させることなく、室内を連続的に除湿できるようにしている。
【先行技術文献】
【特許文献】
【０００５】
【特許文献１】特開２００４−６０９５４号公報
【発明の概要】
【発明が解決しようとする課題】
【０００６】
上記のように、２つのバッチ動作を交互に行う除湿装置では、再生側の吸着素子から水分を放出させるために、加熱手段で加熱した空気で吸着素子を昇温させている。このため、上述した２つのバッチ動作の切り換え直後には、再生側から吸着側へ遷移した吸着素子が未だ比較的高温になっていることがある。これにより、バッチ動作の切り換え直後には、比較的高温の空気が室内へ供給されてしまう。その結果、室内へ供給される空気の温度を一定に保つことができず、室内の温度環境が損なわれてしまう。また、半導体工場のクリーンルームや食品工場等、比較的高い精度での温度制御（例えば±２℃）の要求が課せられる空間の除湿に、上記の除湿装置を適用することが考えられる。この場合に、上述のようにして供給空気の温度が大きく変動すると、所望とする温度制御を行うことができず、品質管理等に多大な支障をもたらしてしまう。
【０００７】
本発明は、斯かる点に鑑みてなされたものであり、２つのバッチ動作を交互に切り換えて除湿動作を行う調湿装置において、室内へ供給される空気の温度変動を抑制することを目的とする。
【課題を解決するための手段】
【０００８】
第１の発明は、内部を空気が流れるケーシング（11）と、該ケーシング（11）に収容され且つ空気中の水分を吸着する吸着剤が担持された第１及び第２吸着部材（61,62）と、各吸着部材（61,62）の吸着剤を加熱する加熱機構（45）とを備え、上記第１吸着部材（61）の吸着剤で水分を吸着すると共に上記第２吸着部材（62）の吸着剤を加熱する第１バッチ動作と、上記第２吸着部材（62）の吸着剤で水分を吸着すると共に上記第１吸着部材（61）の吸着剤を加熱する第２バッチ動作とを交互に行い、各吸着部材（61,62）を通過した空気の一方を供給空気（SA）として室内へ供給して他方を排出空気（EA）として室外へ排出する調湿装置であって、上記２つのバッチ動作の間に、次のバッチ動作時に吸着側となる吸着部材（61,62）の吸着剤を所定時間（t1）に亘って冷却する冷却機構（45）と、少なくとも室内への供給空気（SA）又は室外への排出空気（EA）の何れか一方の空気温度を検知する空気温度検知器（43）と、上記空気温度検知器（43）の検知温度に基づいて上記冷却機構（45）の所定時間（t1）の長さを調節する温度側時間調節器（91）とを備えている。
【０００９】
上記第１の発明では、まず、第１バッチ動作において、ケーシング（11）内に取り込まれた空気は、第１吸着部材（61）を通過する。この空気は第１吸着部材（61）を通過する際に、該空気中に含まれる水分を第１吸着部材（61）の吸着剤に吸着させて除湿空気になる。この除湿空気は供給空気（SA）として室内へ供給される。同時に、ケーシング（11）内に取り込まれた空気は第２吸着部材（62）を通過する。このとき、加熱機構（45）は第２吸着部材（62）の吸着剤を加熱し、吸着剤からは水分が脱離する。上記空気は、第２吸着部材（62）を通過する際に、該第２吸着部材（62）の吸着剤から脱離した水分を与えられて加湿空気になる。この加湿空気は排出空気として室外へ排出される。
【００１０】
空気温度検知器（43）は、第１バッチ動作中において、上記供給空気（SA）又は排出空気（EA）の何れか一方の空気温度を検知する。そして、温度側時間調節器（91）は、検知された空気温度に基づいて吸着剤を冷却する時間の長さを調節する。そして、冷却機構（45）は、第１バッチ動作と第２バッチ動作との間において、温度側時間調節器（91）で調節された時間に亘って第２バッチ動作で吸着側となる第２吸着部材（62）の吸着剤を冷却する。
【００１１】
次に、第１バッチ動作から第２バッチ動作に切り換わると、ケーシング（11）内に取り込まれた空気は、第２吸着部材（62）を通過する。この空気は第２吸着部材（62）を通過する際に、該空気中に含まれる水分を第２吸着部材（62）の吸着剤に吸着させて除湿空気になる。この除湿空気は供給空気（SA）として室内へ供給される。同時に、ケーシング（11）内に取り込まれた空気は第１吸着部材（61）を通過する。このとき、加熱機構（45）は第１吸着部材（61）の吸着剤を加熱し、吸着剤からは水分が脱離する。上記空気は、第１吸着部材（61）を通過する際に、該第１吸着部材（61）の吸着剤から脱離した水分を与えられて加湿空気になる。この加湿空気は排出空気（EA）として室外へ排出される。
【００１２】
第２バッチ動作中において空気温度検知器（43）は、上記供給空気（SA）又は排出空気（EA）の何れか一方の空気温度を検知する。そして、温度側時間調節器（91）は、検知された空気温度に基づいて吸着剤を冷却する時間の長さを調節する。そして、冷却機構（45）は、第２バッチ動作と第１バッチ動作との間において、温度側時間調節器（91）で調節された時間に亘って第１バッチ動作で吸着側となる第１吸着部材（61）の吸着剤を冷却する。
【００１３】
第２の発明は、上記第１の発明において、上記温度側時間調節器（91）は、一のバッチ動作における空気温度検知器（43）の検知温度の最大値と最小値との差分に基づいて上記冷却機構（45）の所定時間（t1）を調節するよう構成されている。
【００１４】
上記第２の発明では、空気温度検知器（43）は、供給空気（SA）、又は排出空気（EA）の何れか一方の空気温度を検知する。温度側時間調節部（91）は、一のバッチ動作における空気温度検知器（43）の検知温度の最大値と最小値との差分に基づいて吸着部材（61,62）の吸着剤を冷却する時間を調節する。そして、２つのバッチ動作の間では、次のバッチ動作に吸着側となる吸着部材（61,62）の吸着剤を上記調節された時間に亘って冷却する。
【００１５】
第３の発明は、上記第２の発明において、一のバッチ動作における空気温度検知器（43）の検知温度の最大値と最小値との差分が大きいほど上記冷却機構（45）の所定時間（t1）を長くするよう構成されている。
【００１６】
上記第３の発明では、空気温度検知器（43）は、供給空気（SA）、又は排出空気（EA）の何れか一方の空気温度を検知する。温度側時間調節部（91）は、一のバッチ動作における空気温度検知器（43）の検知温度の最大値と最小値との差分が大きいほど吸着部材（61,62）の吸着剤を冷却する時間が長くなるよう調節する。そして、２つのバッチ動作の間では、次のバッチ動作で吸着側となる吸着部材（61,62）の吸着剤を調節された時間に亘って冷却する。
【００１７】
第４の発明は、空気中の水分を吸着する吸着剤が担持された第１及び第２吸着部材（151,152）と、該第１吸着部材（151）が配置される第１空気通路（161）と第２吸着部材（152）が配置される第２空気通路（162）とを備えたケーシング（111）と、該ケーシング（111）内に設けられて各吸着部材（151,152）の一方を加熱し他方を冷却する温度調節機構（150）と、上記第１吸着部材（151）の吸着剤を冷却すると共に第２吸着部材（152）の吸着剤を加熱する第１動作と第１吸着部材（151）の吸着剤を加熱すると共に第２吸着部材（152）の吸着剤を冷却する第２動作とを切り換える温度調節切換器（154）と、上記第１空気通路（161）と第２空気通路（162）とを交互に室内への空気供給経路に切り換える空気通路切換器（141〜148）とを備えた調湿装置であって、冷却側の吸着部材（151,152）を通過した空気を室内へ供給して加熱側の吸着部材（151,152）を通過した空気を室外へ排出する除湿運転時には、空気通路切換器（141〜148）の切換動作を温度調節切換器（154）の切換動作よりも所定の遅延時間（t2）が経過した後に実行する切換調節器（165）を備えている。
【００１８】
上記第４の発明では、まず第１動作では、温度調節機構（150）は第１吸着部材（151）の吸着剤を冷却すると共に第２吸着部材（152）の吸着剤を加熱する一方、空気通路切換器（141〜148）は第１空気通路（161）を空気供給経路に接続する。そして、ケーシング（111）内に取り込まれた空気は、第１空気通路（161）に流入して第１吸着部材（151）を通過する。上記空気は第１吸着部材（151）を通過する際に、該空気中に含まれる水分を第１吸着部材（151）の吸着剤に吸着し、除湿空気となって室内へ供給される。同時に、ケーシング（111）内に取り込まれた空気は第２空気通路（162）に流入して第２吸着部材（152）を通過する。第２吸着部材（152）では加熱された吸着剤から水分が脱離する。この空気は、第２吸着部材（152）を通過する際に、該第２吸着部材（152）の吸着剤から脱離した水分を与えられ、加湿空気となって室外へ排出される。切換調節器（165）は、温度調節切換器（154）を第１動作から第２動作へ切り換えてから所定の遅延時間（t2）を経過させた後、空気通路切換器（141〜148）の空気供給経路への接続を第１空気通路（161）から第２空気通路（162）へ切り換える。
【００１９】
次に第２動作では、温度調節機構（150）は第２吸着部材（152）の吸着剤を冷却すると共に第１吸着部材（151）の吸着剤を加熱する一方、空気通路切換器（141〜148）は第２空気通路（162）を空気供給経路に接続する。そして、ケーシング（111）内に取り込まれた空気は第２空気通路（162）に流入して第２吸着部材（152）を通過する。上記空気は第２吸着部材（152）を通過する際に、該空気中に含まれる水分を第２吸着部材（152）の吸着剤に吸着し、除湿空気となって室内へ供給される。同時に、ケーシング（111）内に取り込まれた空気は第１空気通路（161）へ流入して第１吸着部材（151）を通過する。第１吸着部材（151）では加熱された吸着剤から水分が脱離する。上記空気は、第１吸着部材（151）を通過する際に、該第１吸着部材（151）の吸着剤から脱離した水分を与えられ、加湿空気となって室外へ排出される。切換調節器（165）は、温度調節機構（150）を第２動作から第１動作へ切り換えてから所定の遅延時間（t2）を経過させた後、空気通路切換器（141〜148）の空気供給経路への接続を第２空気通路（162）から第１空気通路（161）へ切り換える。
【００２０】
第５の発明は、上記第４の発明において、上記温度調節機構（150）は、圧縮機（153）を有して熱媒体流体が循環する熱媒回路（150）に構成される一方、上記温度調節切換器（154）は、上記熱媒回路（150）の熱媒体流体の循環方向を切り換える回路切換機構（154）に構成され、上記切換調節器（165）は、上記圧縮機（153）の運転周波数に基づいて上記所定の遅延時間（t2）の長さを調節する周波数側時間調節器（166）とを備えている。
【００２１】
上記第５の発明では、熱媒回路（150）には圧縮機（153）で圧縮された熱媒体流体が循環する。第１動作において、熱媒回路（150）を循環する熱媒体流体は、第１吸着部材（151）の吸着剤から吸熱する一方、第２吸着部材（152）の吸着剤へ放熱する。そして、周波数側時間調節器（166）は、圧縮機（153）の運転周波数に基づいて第２吸着部材（152）の吸着剤を冷却する時間（t2）の長さを調節する。そして、第１動作と第２動作との間に、第２吸着部材（152）の吸着剤を調節された時間に亘って冷却する。
【００２２】
第２動作において、熱媒回路（150）を循環する熱媒体流体は、第２吸着部材（152）の吸着剤から吸熱する一方、第１吸着部材（151）の吸着剤へ放熱する。そして、周波数側時間調節器（166）は、圧縮機（153）の運転周波数に基づいて第１吸着部材（151）の吸着剤を冷却する時間（t2）の長さを調節する。そして、第２動作と第１動作との間に、第１吸着部材（151）の吸着剤を調節された時間に亘って冷却する。
【００２３】
第６の発明は、上記第５の発明において、上記周波数側時間調節器（166）は、圧縮機（153）の運転周波数が高いほど上記所定の遅延時間（t2）を長くするよう構成されている。
【００２４】
上記第６の発明では、周波数側時間調節部（166）は、圧縮機（153）の運転周波数が高いほど吸着部材（151,152）の吸着剤を冷却する時間が長くなるよう調節する。そして、２つの動作の間では、次の動作で吸着側となる吸着部材（151,152）の吸着剤を調節された時間に亘って冷却する。
【００２５】
第７の発明は、第４〜第６の何れか１つの発明において、上記第１吸着部材（151）が第１吸着熱交換器（151）により構成されるとともに上記第２吸着部材（152）が第２吸着熱交換器（152）により構成されている。
【００２６】
上記第７の発明では、第１動作において、熱媒回路（150）を循環する熱媒体流体は、第１吸着熱交換器（151）で吸着剤から吸熱する一方、第２吸着熱交換器（152）で吸着剤へ放熱する。第２動作では、熱媒回路（150）を循環する熱媒体流体は第２吸着熱交換器（152）で吸着剤から吸熱する一方、第１吸着熱交換器（151）で吸着剤へ放熱する。
【発明の効果】
【００２７】
上記第１の発明によれば、供給空気（SA）又は排出空気（EA）の温度に基づいて調節された時間に亘って吸着剤を冷却するようにしたため、加熱された吸着剤の温度に応じて該吸着剤を冷却することができる。つまり、バッチ動作の切り換え直後において、再生側から吸着側へ遷移した吸着部材（61,62）の吸着剤の温度を効果的に低下させることができる。これにより、室内へ供給される空気の温度変動を抑制することができる。この結果、半導体工場のクリーンルーム等での温度制御を高い精度で行うことができる。
【００２８】
上記第２の発明によれば、一のバッチ動作における供給空気（SA）又は排出空気（EA）の最大温度と最小温度との温度差に基づいて吸着剤を冷却する時間を調節するようにしたため、該冷却時間を必要最小限の時間に調節することができる。つまり、再生側となるバッチ動作中において吸着剤を加熱する加熱が短くなるのを低減することができる。つまり、再生側となるバッチ動作中において、吸着剤を加熱する時間が減少するのを低減させることができる。これにより、吸着剤の除湿能力が低下するのを低減させることができる。
【００２９】
上記第３の発明によれば、一のバッチ動作における空気温度検知器（43）の検知温度の最大値と最小値との差分が大きいほど冷却機構（45）での冷却時間を長くするようにしたため、加熱されて高温となった吸着剤を確実に冷却することができる。これにより、室内へ供給される空気の温度変動を抑制することができる。この結果、半導体工場のクリーンルーム等での温度制御を高い精度で行うことができる。
【００３０】
上記第４の発明によれば、除湿運転時に、空気通路切換器（141〜148）の切換動作を温度調節切換器（154）の切換動作よりも所定の遅延時間（t2）が経過した後に実行するようにしたため、遅延時間（t2）の間、再生側の吸着部材（151,152）の吸着剤を冷却することができる。これにより、室内へ供給される空気の温度変動を抑制することができる。この結果、半導体工場のクリーンルーム等での温度制御を高い精度で行うことができる。
【００３１】
上記第５の発明によれば、圧縮機（153）の運転周波数に基づいて所定の遅延時間（t2）の長さを調節するようにしたため、供給空気（SA）等の温度を検知することなく、吸着剤を冷却する時間を設定することができる。つまり、空気の温度を検知するセンサ等を用いることなく適切な時間でもって吸着剤を冷却することができる。これにより、室内へ供給される空気の温度変動を抑制することができると共に、調湿装置の製造コストを減少させることができる。この結果、半導体工場のクリーンルーム等での温度制御を高い精度で行うことができる。
【００３２】
上記第６の発明によれば、圧縮機（153）の運転周波数が高いほど、所定の遅延時間（t2）を長くするようにしたため、圧縮機（153）の運転周波数が上昇して吸着剤の温度が高くなっても、温度上昇に対応して吸着剤を確実に冷却することができる。これにより、室内へ供給される空気の温度変動を抑制することができる。この結果、半導体工場のクリーンルーム等での温度制御を高い精度で行うことができる。
【００３３】
上記第７の発明によれば、第１吸着部材（151）が第１吸着熱交換器（151）により構成されるとともに上記第２吸着部材（152）が第２吸着熱交換器（152）により構成されるようにしたため、熱媒回路（150）の熱媒体流体の循環方向を切り換えることで各吸着熱交換器（151,152）の吸着側と再生側とを簡単に切り換えることができる。
【図面の簡単な説明】
【００３４】
【図１】実施形態１に係る除湿装置の全体構成を示す概略の斜視図である。
【図２】実施形態１に係る除湿装置の概略の全体構成を示す図であって、（A）は平面図であり、(B)は左側面図であり、(C)は右側面図である。
【図３】実施形態１に係る除湿装置の第１バッチ動作における空気の流れを示す除湿装置の概略図であって、（A）は平面図であり、(B)は左側面図であり、(C)は右側面図である。
【図４】実施形態１に係る除湿装置の第２バッチ動作における空気の流れを示す除湿装置の概略図であって、（A）は平面図であり、(B)は左側面図であり、(C)は右側面図である。
【図５】実施形態１に係る除湿装置の第１冷却動作における空気の流れを示す除湿装置の概略図であって、（A）は平面図であり、(B)は左側面図であり、(C)は右側面図である。
【図６】実施形態１に係る除湿装置の第２冷却動作における空気の流れを示す除湿装置の概略図であって、（A）は平面図であり、(B)は左側面図であり、(C)は右側面図である。
【図７】実施形態１に係る除湿装置の供給空気温度と時間との関係を示すグラフである。
【図８】実施形態２に係る調湿装置の全体構成を示す概略の斜視図である。
【図９】実施形態２に係る調湿装置の概略の全体構成を示す平面図、右側面図、及び左側面図である。
【図１０】実施形態２に係る調湿装置の冷媒回路の構成を示す配管系統図であって、（A）は第１動作中の動作を示すものであり、（B）は第２動作中の動作を示すものである。
【図１１】実施形態２に係る調湿装置の除湿換気運転の第１動作における空気の流れを示す調湿装置の概略の平面図、右側面図、及び左側面図である。
【図１２】実施形態２に係る調湿装置の除湿換気運転の第２動作における空気の流れを示す調湿装置の概略の平面図、右側面図、及び左側面図である。
【図１３】実施形態２に係る調湿装置の加湿換気運転の第１動作における空気の流れを示す調湿装置の概略の平面図、右側面図、及び左側面図である。
【図１４】実施形態２に係る調湿装置の加湿換気運転の第２動作における空気の流れを示す調湿装置の概略の平面図、右側面図、及び左側面図である。
【図１５】実施形態２に係る圧縮機の運転周波数とΔT2との関係を示すグラフである。
【図１６】実施形態２に係る調湿装置の供給空気温度と時間との関係を示すグラフである。
【図１７】実施形態２の変形例に係る調湿装置の概略の全体構成を示す平面図、右側面図、及び左側面図である。
【図１８】実施形態２の変形例に係るΔT2と時間（t3）との関係を表した表である。
【発明を実施するための形態】
【００３５】
以下、本発明の実施形態を図面に基づいて詳細に説明する。
【００３６】
本実施形態では、本発明に係る調湿装置が、除湿装置（10）を構成している。この除湿装置（10）は、半導体工場のクリーンルームや、食品工場内の室内の除湿を行うものである。
【００３７】
《発明の実施形態１》
図１及び図２に示すように、実施形態１に係る除湿装置（10）は、本発明に係るケーシングを構成する除湿ケーシング（11）を備えている。除湿ケーシング（11）は、前後に縦長の直方体状に形成されている。除湿ケーシング（11）には、前側に第１パネル部（12）が、後側に第２パネル部（13）が、下側に底板部（14）が、上側に天板部（15）がそれぞれ形成されている。また、除湿ケーシング（11）には、幅方向の左側に第１側板部（16）が、幅方向の右側に第２側板部（17）がそれぞれ形成されている。除湿ケーシング（11）の内側には、空気が流れる空気通路が形成されている。
【００３８】
第１パネル部（12）には、左側寄りに第１吸込口（20）が形成され、右側寄りに排気口（21）が形成されている。第２パネル部（13）には、左側寄りに第２吸込口（22）が形成され、右側寄りに給気口（23）が形成されている。第１吸込口（20）、排気口（21）、第２吸込口（22）、及び給気口（23）は、空気ダクト（図示省略）が連結されるダクト接続口を構成している。第１吸込口（20）、排気口（21）、及び第２吸込口（22）は、空気ダクトを介して室外空間と連通し、給気口（23）は、空気ダクトを介して室内空間と連通している。
【００３９】
除湿ケーシング（11）の内部には、第１仕切板（31）と第２仕切板（32）とが立設している。第１仕切板（31）及び第２仕切板（32）は、第１パネル部（12）及び第２パネル部（13）と平行な姿勢となっている。第１仕切板（31）は第１パネル部（12）寄りに位置し、第２仕切板（32）は第２パネル部（13）寄りに位置している。
【００４０】
第１パネル部（12）と第１仕切板（31）との間には、排気側仕切板（33）が立設しており、排気側仕切板（33）の左側に第１吸込通路（25）が、右側に排気通路（26）がそれぞれ区画されている。第１吸込通路（25）は上記第１吸込口（20）と連通し、排気通路（26）は上記排気口（21）と連通している。また、排気通路（26）には、排気ファン（41）が収容されている。排気ファン（41）は、遠心型の多翼ファン（いわゆるシロッコファン）で構成されている。
【００４１】
第２パネル部（13）と第２仕切板（32）との間には、給気側仕切板（34）が立設しており、給気側仕切板（34）の左側に第２吸込通路（27）が、右側に給気通路（28）がそれぞれ区画されている。第２吸込通路（27）は上記第２吸込口（22）と連通し、給気通路（28）は上記給気口（23）と連通している。給気通路（28）には、給気ファン（42）と、供給空気温度センサ（43）とが収容されている。給気ファン（42）は、遠心型の多翼ファン（いわゆるシロッコファン）で構成されている。供給空気温度センサ（43）は、給気通路（28）を通過して給気口（23）から室内へ供給される空気（SA）の温度を測定するためのものである。この供給空気温度センサ（43）は本発明に係る空気温度検知器を構成している。供給空気温度センサ（43）は給気通路（28）内において給気口（23）の近傍に設けられ、後述する除湿コントローラ（90）に接続されている。そして、供給空気温度センサ（43）で測定された温度データは随時、除湿コントローラ（90）へ送られる。
【００４２】
上記第２吸込通路（27）には、熱交換器（45）が収容されている。熱交換器（45）は、例えばプレート式の熱交換器で構成されている。熱交換器（45）には、流入管（46）及び流出管（47）が除湿ケーシング（11）を貫通して接続されている（図２を参照）。この流入管（46）は、三方弁（85）を介して加熱用媒体としての温水が流れる温水供給管（86）及び冷却用媒体としての冷水が流れる冷水供給管（87）と接続されている。
【００４３】
上記三方弁（85）は、３つのポートを有している。三方弁（85）では、第１のポートに流入管（46）の始端が接続され、第２のポートに温水供給管（86）の終端が接続され、第３のポートに冷水供給管（87）の終端が接続されている。温水供給管（86）へは、加熱用媒体としての温水が供給され、冷水供給管（87）には、冷却用媒体としての冷水が供給される。尚、この温水は、例えば工場等の他の熱源機器の廃熱を利用して生成され、冷水は、例えば工場等における製造装置の冷却用水を利用して生成される。三方弁（85）は、後述する除湿コントローラ（90）による制御によって、第１のポートと第２のポートとが連通する第１の状態（例えば図３に示す状態）と、第１のポートと第３のポートとが連通する第２の状態（例えば図５に示す状態）とに切り換え可能に構成されている。この切り換えにより、熱交換器（45）は、空気を加熱するための温水と、空気を冷却するための冷水とが選択的に供給される。つまり、熱交換器（45）は、後述する吸着素子（61,62）へ供給される空気を加熱又は冷却する温度調節手段であって、本発明に係る冷却機構を構成している。
【００４４】
また、第２吸込通路（27）には、熱交換器（45）の空気の下流側に枠体（49）が設置されている。枠体（49）は、熱交換器（45）に沿うような板状に形成され、且つ熱交換器（45）を通過した空気が流通可能な空気開口部が形成されている。
【００４５】
第１パネル部（12）と第２パネル部（13）との間には、中央仕切板（35）が水平な姿勢で配設され、中央仕切板（35）の上側に第１吸着室（51）が、中央仕切板（35）の下側に第２吸着室（52）がそれぞれ区画されている。第１吸着室（51）は第１吸着素子（61）を収容する第１の収容室を構成し、第２吸着室（52）は第２吸着素子（62）を収容する第２の収容室を構成している。
【００４６】
各吸着素子（61,62）は、第１側板部（16）から第２側板部（17）に亘って左右に延びる縦長の直方体形状をしている。第１吸着室（51）では、第１吸着素子（61）と第１仕切板（31）との間に排気側上部通路（53）が区画され、第１吸着素子（61）と第２仕切板（32）との間に給気側上部通路（54）が区画されている。第２吸着室（52）では、第２吸着素子（62）と第１仕切板（31）との間に排気側下部通路（55）が区画され、第２吸着素子（62）と第２仕切板（32）との間に給気側下部通路（56）が区画されている。
【００４７】
各吸着素子（61,62）は、その長手方向の中間位置で切り離される分割構造をしている。つまり、各吸着素子（61,62）は、左右に隣り合う２つの吸着エレメント（60,60）で構成されている。吸着エレメント（60,60）は、前後方向に空気が流通可能な基材部と、この基材部に担持される吸着剤によって構成されている。吸着エレメント（60,60）の吸着剤としては、ゼオライト、シリカゲル、活性炭、親水性の官能基を有する有機高分子材料など、空気中の水分（水蒸気）を吸着できるものが用いられる。また、吸着剤として、いわゆる収着剤を用いてもよい。第１吸着素子（61）は本発明に係る第１吸着部材を構成する一方、第２吸着素子（62）は本発明に係る第２吸着部材を構成している。
【００４８】
上記第１仕切板（31）には、第１から第４までの排気側ダンパ（71,72,73,74）が設けられている。各排気側ダンパ（71,72,73,74）は、各吸着室（51,52）と、第１吸込通路（25）及び排気通路（26）とを断続するための開閉式のダンパを構成している。第１仕切板（31）には、上部左側に第１排気側ダンパ（71）が、上部右側に第２排気側ダンパ（72）が、下部左側に第３排気側ダンパ（73）が、下部右側に第４排気側ダンパ（74）がそれぞれ取り付けられている。第１排気側ダンパ（71）を開閉すると、第１吸込通路（25）と排気側上部通路（53）との間が断続される。第２排気側ダンパ（72）を開閉すると、排気通路（26）と排気側上部通路（53）との間が断続される。第３排気側ダンパ（73）を開閉すると、第１吸込通路（25）と排気側下部通路（55）との間が断続される。第４排気側ダンパ（74）を開閉すると、排気通路（26）と排気側下部通路（55）との間が断続される。
【００４９】
上記第２仕切板（32）には、第５から第８までの給気側ダンパ（75,76,77,78）が設けられている。各給気側ダンパ（75,76,77,78）は、各吸着室（51,52）と、第２吸込通路（27）及び給気通路（28）とを断続するための開閉式のダンパを構成している。第２仕切板（32）には、上部左側に第１給気側ダンパ（75）が、上部右側に第２給気側ダンパ（76）が、下部左側に第３給気側ダンパ（77）が、下部右側に第４給気側ダンパ（78）がそれぞれ取り付けられている。第１給気側ダンパ（75）を開閉すると、第２吸込通路（27）と給気側上部通路（54）との間が断続される。第２給気側ダンパ（76）を開閉すると、給気通路（28）と給気側上部通路（54）との間が断続される。第３給気側ダンパ（77）を開閉すると、第２吸込通路（27）と給気側下部通路（56）との間が断続される。第４給気側ダンパ（78）を開閉すると、排気通路（26）と給気側下部通路（56）との間が断続される。
【００５０】
上記の各ダンパ（71〜78）は、除湿ケーシング（11）の内部を流れる空気の流路を切り換えるためのものである。また、上記の第１給気側ダンパ（75）及び第３給気側ダンパ（77）は、熱交換器（45）を通過した空気を各吸着室（51,52）へ導入するための主導入部を構成している。
【００５１】
また、除湿装置（10）は、除湿コントローラ（90）を有している（図２を参照）。除湿コントローラ（90）は、排気ファン（41）や給気ファン（42）の起動及び停止を制御する一方、各ダンパ（71〜78）の開閉動作を制御することで、除湿ケーシング（11）内の空気通路の空気流れを制御している。また、除湿コントローラ（90）は、三方弁（85）の第１の状態と第２の状態との切り換え動作を制御することで、熱交換器（45）の加熱動作と冷却動作との切り換えを制御している。この除湿コントローラ（90）には、上記供給空気温度センサ（43）が接続されており、該供給空気温度センサ（43）で測定された供給空気（SA）の温度データは随時、除湿コントローラ（90）へ送られている。更に、除湿コントローラ（90）は、温度側時間調節部（91）を有している。
【００５２】
上記温度側時間調節部（91）は、上記供給空気温度センサ（43）から送られた温度データに基づいて熱交換器（45）の冷却動作時間（t1）を調節するものであって、本発明に係る温度側時間調節器を構成している。
【００５３】
具体的に、温度側時間調節部（91）では、まず、供給空気温度センサ（43）から除湿コントローラ（90）に送られた室内への供給空気（SA）の温度データのうち、一のバッチ動作における温度データが蓄積される。そして、温度側時間調節部（91）は一のバッチ動作における最大温度（Tmax）と最小温度（Tmin）との差分（ΔT2=Tmax-Tmin）を求める。例えば、一のバッチ動作における供給空気（SA）の最大温度が３０℃で、最小温度が２０℃であれば、Tmax=30、Tmin=20、ΔT2=10となる。尚、供給空気（SA）の温度は、各バッチ動作の切り換え直後が最も高くなるため、一のバッチ動作における最大温度（Tmax）はバッチ動作の切り換え直後（一のバッチ動作の開始直後）の温度となる。ここで、温度側時間調節部（91）には、室内の温度のばらつきの許容温度範囲（ΔT1）が予め設定されている。この許容温度範囲（ΔT1）は、室内の設定温度に対してユーザが所望する室内の温度ばらつきの許容範囲である。本実施形態１では、例示として許容温度範囲を±２℃とする。温度側時間調節部（91）は、ΔT2とΔT1との差分に応じて熱交換器（45）での冷却動作時間（t1）を設定する。この冷却動作時間（t1）は、バッチ動作の切り換え後の供給空気（SA）の温度のΔT2がΔT1以下（ΔT2≦ΔT1）になるのに要する時間であって、本発明に係る所定時間（t1）を示すものである。尚、本実施形態１では例示として、上記冷却動作時間（t1）が０秒〜３０秒の間で設定される。
【００５４】
そして、温度側時間調節部（91）は、ΔT2がΔT1よりも高い（ΔT2＞ΔT1）場合、図７に示すように、三方弁（85）を第２の状態（冷却側）に切り換えてから設定された冷却動作時間（t1）が経過した後、一のバッチ動作から次のバッチ動作へ各ダンパ（71〜78）を切り換える。三方弁（85）を第２の状態に切り換えると、熱交換器（45）で冷却した室外空気によって吸着剤が冷却される。そして、温度側時間調節部（91）は、冷却動作時間（t1）を経過した後に、各ダンパ（71〜78）を切り換えると同時に、三方弁（85）を再び第１の状態（加熱側）へ切り換える。更に、上記ΔT2とΔT1との差分が大きいほど、冷却動作時間（t1）を長くして、各ダンパ（71〜78）の切換動作を三方弁（85）の切換動作から遅らせるようにする。つまり、冷却動作時間（t1）をΔT2とΔT1との差分の大きさに応じて変化させている。一方、ΔT2がΔT1よりも低い（ΔT2＜ΔT1）場合、三方弁（85）を切り換えることなく、一のバッチ動作から次のバッチ動作へ各ダンパ（71〜78）を切り換える。
【００５５】
−運転動作−
本実施形態１の除湿装置（10）の除湿運転について説明する。除湿運転では、排気ファン（41）及び給気ファン（42）がそれぞれ運転状態となる。除湿運転では、第１空気（図３における黒塗りの矢印で表す空気、以下同様）としての室外空気（OA）が第１吸込口（20）より除湿ケーシング（11）内に取り込まれ、第２空気（図３における白塗りの矢印で表す空気、以下同様）としての室外空気（OA）が第２吸込口（22）より除湿ケーシング（11）内に取り込まれる。除湿運転では、各ダンパ（71〜78）の開閉状態を切り換えることで、次のような第１バッチ動作と第２バッチ動作とが交互に行われる。なお、本実施形態１の第１バッチ動作や第２バッチ動作では、三方弁（85）が第１状態に設定され、温水供給管（86）から熱交換器（45）へ温水が供給される。また、第１バッチ動作と第２バッチ動作との切り換えは、予め除湿コントローラ（90）に設定された時間（例えば５分〜１０分程度）毎に行われる。なお、除湿装置（10）の運転動作を説明するための各図において、閉鎖状態のダンパにはハッチングを付加し、開放状態のダンパは白塗りで示すようにしている。
【００５６】
〈第１バッチ動作〉
図３に示すように、第１バッチ動作では、第２排気側ダンパ（72）、第３排気側ダンパ（73）、第１給気側ダンパ（75）、及び第４給気側ダンパ（78）が閉鎖状態となり、第１排気側ダンパ（71）、第４排気側ダンパ（74）、第２給気側ダンパ（76）、及び第３給気側ダンパ（77）が開放状態となる。
【００５７】
第１吸込口（20）から第１吸込通路（25）へ取り込まれた第１空気は、第１排気側ダンパ（71）より第１吸着室（51）へ流入する。第１吸着室（51）へ流入した空気は、第１吸着素子（61）を通過する。第１吸着素子（61）では、空気中に含まれる水分（水蒸気）が吸着剤に吸着される。その結果、第１吸着素子（61）では、このような吸着動作によって空気が除湿される。第１吸着素子（61）で除湿された空気は、第２給気側ダンパ（76）より給気通路（28）へ流出し、供給空気（SA）として室内へ供給される。
【００５８】
第２吸込口（22）から第２吸込通路（27）へ取り込まれた第２空気は、熱交換器（45）を通過する。熱交換器（45）では、温水と空気とが熱交換し、空気が約６０℃程度まで加熱される。熱交換器（45）で加熱された空気は、第３給気側ダンパ（77）より第２吸着室（52）へ流入する。第２吸着室（52）へ流入した空気は、第２吸着素子（62）を通過する。第２吸着素子（62）の吸着剤は、空気によって加熱される。その結果、第２吸着素子（62）では、このような再生動作によって吸着剤に吸着された水分が空気中へ放出される。第２吸着素子（62）の水分を奪った空気は、第４排気側ダンパ（74）より排気通路（26）へ流出し、排出空気（EA）として室外へ排出される。
【００５９】
〈第２バッチ動作〉
図４に示すように、第２バッチ動作では、第１排気側ダンパ（71）、第４排気側ダンパ（74）、第２給気側ダンパ（76）、及び第３給気側ダンパ（77）が閉鎖状態となり、第２排気側ダンパ（72）、第３排気側ダンパ（73）、第１給気側ダンパ（75）、及び第４給気側ダンパ（78）が開放状態となる。
【００６０】
第１吸込口（20）から第１吸込通路（25）へ取り込まれた第１空気は、第３排気側ダンパ（73）より第２吸着室（52）へ流入する。第２吸着室（52）へ流入した空気は、第２吸着素子（62）を通過する。第２吸着素子（62）では、空気中に含まれる水分（水蒸気）が吸着剤に吸着される。その結果、第２吸着素子（62）では、このような吸着動作によって空気が除湿される。第２吸着素子（62）で除湿された空気は、第４給気側ダンパ（78）より給気通路（28）へ流出し、供給空気（SA）として室内へ供給される。
【００６１】
第２吸込口（22）から第２吸込通路（27）へ取り込まれた第２空気は、熱交換器（45）を通過する。熱交換器（45）では、温水と空気とが熱交換し、空気が約６０℃程度まで加熱される。熱交換器（45）で加熱された空気は、第１給気側ダンパ（75）より第１吸着室（51）へ流入する。第１吸着室（51）へ流入した空気は、第１吸着素子（61）を通過する。第１吸着素子（61）の吸着剤は、空気によって加熱される。その結果、第１吸着素子（61）では、このような再生動作によって吸着剤に吸着された水分が空気中へ放出される。第１吸着素子（61）の水分を奪った空気は、第２排気側ダンパ（72）より排気通路（26）へ流出し、排出空気（EA）として室外へ排出される。
【００６２】
〈冷却動作〉
本実施形態１の除湿装置（10）では、上記の第１バッチ動作と第２バッチ動作とを交互に行うことで、各吸着素子（61,62）の吸着剤で水分が飽和する（吸着破過になる）ことなく、連続的に室内を除湿することができる。ところが、このように２つの動作（バッチ動作）を切り換えて行うと、各バッチ動作の切り換え直後には、再生側から吸着側へ遷移した吸着素子（61,62）が未だ比較的高温となっていることがある。その結果、各バッチ動作の切り換え直後において、比較的高温の空気が供給空気（SA）として室内へ供給されてしまうという問題が生じる。
【００６３】
具体的には、除湿運転において、例えば第１バッチ動作から第２バッチ動作へ切り換えられると、第１バッチ動作の終了直前には、第１バッチ動作で再生側となる第２吸着素子（62）が約６０℃まで昇温されている。このような状態で、次の第２バッチ動作が行われると、吸着側に遷移する第２吸着素子（62）が未だ高温となっており、この高温状態の第２吸着素子（62）を通過した空気が室内へ供給されてしまう。その結果、第２バッチ動作の直後には、供給空気（SA）の温度が比較的高温となり、その後に第２バッチ動作を継続するに連れて第２吸着素子（62）が冷却されて、供給空気（SA）の温度が低くなっていく。
【００６４】
以上のように、除湿運転では、各バッチ動作の開始直後に供給空気（SA）が最高温度となり、バッチ動作を継続するに連れて供給空気（SA）が低くなっていく。このため、除湿運転では、供給空気（SA）の温度の変動が大きくなり、室内の温度を一定に保つことができなくなる。その結果、半導体工場のクリーンルームや食品工場等の室内の温度環境が損なわれ、品質管理等に支障をもたらすという問題が生じる。そこで、本実施形態１では、第１バッチ動作と第２バッチ動作との相互の切り換えの間に、次のような冷却動作を行うことで、供給空気（SA）の温度変動を抑えるようにしている。
【００６５】
（第１冷却動作）
第１冷却動作は、第１バッチ動作から第２バッチ動作への切り換えが行われる際、第１バッチ動作と第２バッチ動作との間に行われる。第１冷却動作では、その直前の第１バッチ動作において再生側となり、次の第２バッチ動作で吸着側となる第２吸着素子（62）を冷却対象とし、この第２吸着素子（62）を冷却する運転が行われる。また、第１冷却動作では、直前の第１バッチ動作において吸着側となる第１吸着素子（61）において、継続して空気の除湿が行われる。つまり、第１冷却動作では、上述した第１バッチ動作と同様、第１吸着素子（61）で除湿された空気が供給空気（SA）として室内へ供給される。
【００６６】
具体的に、図７に示すように、第１バッチ動作が開始されると、除湿コントローラ（90）の温度側時間調節部（91）では、第１バッチ動作中に供給空気温度センサ（43）で測定された供給空気（SA）の温度データを蓄積する。温度側時間調節部（91）では、第１バッチ動作における供給空気（SA）の最大温度（Tmax）と最小温度（Tmin）との差分であるΔT2が求められ、このΔT2とΔT1（予め設定されている）との差分に応じて冷却動作時間（t1）が決定される。第１バッチ動作が開始されてから所定時間（例えば５分）が経過すると、第１バッチ動作中に三方弁（85）が切り換えられて第１冷却動作が行われる。第１冷却動作では、図５に示すように、除湿コントローラ（90）によって三方弁（85）が第１の状態から第２の状態へ切り換えられる。その結果、熱交換器（45）へは冷水供給管（87）から冷水が供給される。また、第１冷却動作では、各ダンパ（71〜78）の状態が上記第１バッチ動作から保持されたままとなり、排気ファン（41）及び給気ファン（42）も第１バッチ動作から継続して運転状態のままである（図３、及び図５を参照）。
【００６７】
第１冷却動作では、第１バッチ動作から継続して第１空気としての室外空気（OA）が第１吸着素子（61）を流れ、該空気が第１吸着素子（61）で除湿される。第１吸着素子（61）で除湿された空気は、供給空気（SA）として室内へ供給される。
【００６８】
また、第１冷却動作では、第２空気としての室外空気（OA）が冷水の供給された熱交換器（45）を通過する際に冷却される。そして、熱交換器（45）を通過した冷却空気は、第２吸着素子（62）を流れる。この第２吸着素子（62）を流れる空気は、上記第１バッチ動作と比較して低温となっている。このため、第２吸着素子（62）は、空気へ熱を放出して冷却される。第２吸着素子（62）の冷却に利用された空気は、第４排気側ダンパ（74）より排気通路（26）へ流出し、排出空気（EA）として室外へ排出される。
【００６９】
第１冷却動作が開始してから上記冷却動作時間（t1）（例えば５秒）が経過すると、上述した第２バッチ動作が開始される。第２バッチ動作の開始直後には、第２バッチ動作で吸着側となる第２吸着素子（62）が上記第１冷却動作で予め冷却されている。このため、第２バッチ動作の開始直後には、第２吸着素子（62）を通過して室内へ供給される供給空気（SA）が高温となることが回避される。その結果、第２バッチ動作における供給空気（SA）の温度変動が抑制される。第１冷却動作が完了すると、各ダンパ（71〜78）の開閉状態を切り換えると同時に三方弁（85）も第２状態から第１状態に切り換えて第２バッチ動作を行う。
【００７０】
（第２冷却動作）
第２冷却動作は、第２バッチ動作から第１バッチ動作への切り換えが行われる際、第２バッチ動作と第１バッチ動作との間に行われる。第２冷却動作では、その直前の第２バッチ動作において再生側となり、次の第１バッチ動作で吸着側となる第１吸着素子（61）を冷却対象とし、この第１吸着素子（61）を冷却する運転が行われる。また、第２冷却動作では、直前の第２バッチ動作において吸着側となる第２吸着素子（62）で継続して空気の除湿が行われる。つまり、第２冷却動作では、上述した第２バッチ動作と同様、第２吸着素子（62）で除湿された空気が供給空気（SA）として室内へ供給される。
【００７１】
具体的に、第２バッチ動作が開始されてから所定時間（例えば５分）が経過すると、第２バッチ動作中に三方弁（85）が切り換えられて第２冷却動作が行われる。第２冷却動作では、図６に示すように、除湿コントローラ（90）によって三方弁（85）が第１の状態から第２の状態へ切り換えられる。その結果、熱交換器（45）へは冷水供給管（87）から冷水が供給される。また、第２冷却動作では、各ダンパ（71〜78）の状態が上記第２バッチ動作から保持されたままとなり、排気ファン（41）及び給気ファン（42）も第２バッチ動作から継続して運転状態のままである（図４、及び図６を参照）。
【００７２】
第２冷却動作では、第２バッチ動作から継続して第１空気としての室外空気（OA）が第２吸着素子（62）を流れ、空気が第２吸着素子（62）で除湿される。第２吸着素子（62）で除湿された空気は、供給空気（SA）として室内へ供給される。
【００７３】
また、第２冷却動作では、第２空気としての室外空気（OA）が冷水の供給された熱交換器（45）を通過する際に冷却される。そして、熱交換器（45）を通過した冷却空気は、第１吸着素子（61）を流れる。この第１吸着素子（61）を流れる空気は、上記第２バッチ動作と比較して低温となっている。このため、第１吸着素子（61）は、空気へ熱を放出して冷却される。第１吸着素子（61）の冷却に利用された空気は、第２排気側ダンパ（72）より排気通路（26）へ流出し、排出空気（EA）として室外へ排出される。
【００７４】
第２冷却動作が開始してから上記冷却動作時間（t1）（例えば５秒）が経過すると、上述した第１バッチ動作が開始される。第１バッチ動作の開始直後には、第１バッチ動作で吸着側となる第１吸着素子（61）が上記第２冷却動作で予め冷却されている。このため、第１バッチ動作の開始直後には、第１吸着素子（61）を通過して室内へ供給される供給空気（SA）が高温となることが回避される。その結果、第１バッチ動作における供給空気（SA）の温度変動も抑制される。第２冷却動作が完了すると、各ダンパ（71〜78）の開閉状態を切り換えると同時に三方弁（85）も第２状態から第１状態に切り換えて第１バッチ動作を行う。
【００７５】
尚、本実施形態１では、第１バッチ動作中における供給空気（SA）の温度に基づいて冷却動作時間（t1）を求めるようにしたが、冷却動作時間（t1）は、第２バッチ動作中における供給空気（SA）に基づいて冷却動作時間（t1）を求めるようにしてもよい。
【００７６】
−実施形態１の効果−
上記本実施形態１によれば、除湿装置（10）の供給空気（SA）の温度に基づいて調節された冷却動作時間（t1）に亘って吸着剤を冷却するようにしたため、加熱された吸着剤の温度に応じて吸着剤を冷却することができる。つまり、各バッチ動作の切り換え直後における再生側から吸着側へ遷移した吸着素子（61,62）の吸着剤の温度を効果的に低下させることができる。また、一のバッチ動作における供給空気（SA）の最大温度（Tmax）と室内の設定温度（Tmin）との温度差（ΔT2）に基づいて冷却動作時間（t1）を調節するようにしたため、該冷却動作時間（t1）を必要最小限の時間に調節することができる。つまり、再生側となる一のバッチ動作において、吸着剤を加熱する時間の減少を低減することができる。これにより、吸着剤の除湿能力が低下するのを低減させることができる。更に、一のバッチ動作における供給空気温度センサ（43）の検知温度の最大温度（Tmax）と室内の設定温度（Tmin）との差分（ΔT2）が大きいほど冷却動作時間（t1）を長くするようにしたため、再生加熱されて高温となった吸着剤を確実に冷却することができる。これらにより、室内へ供給される空気（SA）の温度変動を抑制することができる。この結果、半導体工場のクリーンルーム等での温度制御を高い精度で行うことができる。
【００７７】
〈発明の実施形態２〉
本実施形態２では、上記実施形態１の除湿装置（10）に代えて、本発明の調湿装置が調湿装置（110）を構成するようにしたものである。本実施形態２に係る調湿装置（110）は、室内の湿度調節と共に室内の換気を行うものであり、取り込んだ室外空気（OA）を湿度調節して室内へ供給すると同時に、取り込んだ室内空気（RA）を室外に排出する。
【００７８】
〈調湿装置の全体構成〉
調湿装置（110）について、図８,図９を適宜参照しながら説明する。なお、ここでの説明で用いる「上」「下」「左」「右」「前」「後」「手前」「奥」は、特にことわらない限り、調湿装置（110）を前面側から見た場合の方向を意味している。
【００７９】
調湿装置（110）は、調湿ケーシング（111）を備えている。また、調湿ケーシング（111）内には、温度調節機構である冷媒回路（150）が収容されている。この冷媒回路（150）には、図１０に示すように、第１吸着部材である第１吸着熱交換器（151）、第２吸着部材である第２吸着熱交換器（152）、圧縮機（153）、温度調節切換器である四路切換弁（154）、及び電動膨張弁（155）が接続されている。冷媒回路（150）の詳細は後述する。
【００８０】
調湿ケーシング（111）は、やや扁平で高さが比較的低い直方体状に形成されている。図８に示す調湿ケーシング（111）では、左手前の側面（即ち、前面）が前面パネル部（112）となり、右奥の側面（即ち、背面）が背面パネル部（113）となり、右手前の側面が第１側面パネル部（114）となり、左奥の側面が第２側面パネル部（115）となっている。
【００８１】
調湿ケーシング（111）には、外気吸込口（124）と、内気吸込口（123）と、給気口（122）と、排気口（121）とが形成されている。外気吸込口（124）及び内気吸込口（123）は、背面パネル部（113）に開口している。外気吸込口（124）は、背面パネル部（113）の下側部分に配置されている。内気吸込口（123）は、背面パネル部（113）の上側部分に配置されている。給気口（122）は、第１側面パネル部（114）における前面パネル部（112）側の端部付近に配置されている。排気口（121）は、第２側面パネル部（115）における前面パネル部（112）側の端部付近に配置されている。
【００８２】
調湿ケーシング（111）の内部空間には、上流側仕切板（171）と、下流側仕切板（172）と、中央仕切板（173）と、第１仕切板（174）と、第２仕切板（175）とが設けられている。これらの仕切板（171〜175）は、何れも調湿ケーシング（111）の底板に立設されており、調湿ケーシング（111）の内部空間を調湿ケーシング（111）の底板から天板に亘って区画している。
【００８３】
上流側仕切板（171）及び下流側仕切板（172）は、前面パネル部（112）及び背面パネル部（113）と平行な姿勢で、調湿ケーシング（111）の前後方向に所定の間隔をおいて配置されている。上流側仕切板（171）は、背面パネル部（113）寄りに配置されている。下流側仕切板（172）は、前面パネル部（112）寄りに配置されている。
【００８４】
第１仕切板（174）及び第２仕切板（175）は、第１側面パネル部（114）及び第２側面パネル部（115）と平行な姿勢で設置されている。第１仕切板（174）は、上流側仕切板（171）と下流側仕切板（172）の間の空間を右側から塞ぐように、第１側面パネル部（114）から所定の間隔をおいて配置されている。第２仕切板（175）は、上流側仕切板（171）と下流側仕切板（172）の間の空間を左側から塞ぐように、第２側面パネル部（115）から所定の間隔をおいて配置されている。
【００８５】
中央仕切板（173）は、上流側仕切板（171）及び下流側仕切板（172）と直交する姿勢で、上流側仕切板（171）と下流側仕切板（172）の間に配置されている。中央仕切板（173）は、上流側仕切板（171）から下流側仕切板（172）に亘って設けられ、上流側仕切板（171）と下流側仕切板（172）の間の空間を左右に区画している。
【００８６】
調湿ケーシング（111）内において、上流側仕切板（171）と背面パネル部（113）の間の空間は、上下２つの空間に仕切られており、上側の空間が内気側通路（132）を構成し、下側の空間が外気側通路（134）を構成している。内気側通路（132）は、内気吸込口（123）に接続するダクトを介して室内と連通している。内気側通路（132）には、内気側フィルタ（127）と内気湿度センサ（196）とが設置されている。外気側通路（134）は、外気吸込口（124）に接続するダクトを介して室外空間と連通している。外気側通路（134）には、外気側フィルタ（128）と外気湿度センサ（197）とが設置されている。
【００８７】
調湿ケーシング（111）内における上流側仕切板（171）と下流側仕切板（172）の間の空間は、中央仕切板（173）によって左右に区画されており、中央仕切板（173）の右側の空間が第１熱交換器室（137）を構成し、中央仕切板（173）の左側の空間が第２熱交換器室（138）を構成している。第１熱交換器室（137）には、第１吸着熱交換器（151）が収容されている。第２熱交換器室（138）には、第２吸着熱交換器（152）が収容されている。また、図示しないが、第１熱交換器室（137）には、冷媒回路（150）の電動膨張弁（155）が収容されている。
【００８８】
各吸着熱交換器（151,152）は、いわゆるクロスフィン型のフィン・アンド・チューブ熱交換器の表面に吸着剤を担持させたものであって、全体として長方形の厚板状あるいは扁平な直方体状に形成されている。各吸着熱交換器（151,152）は、その前面及び背面が上流側仕切板（171）及び下流側仕切板（172）と平行になる姿勢で、熱交換器室（137,138）内に立設されている。尚、吸着剤としては、ゼオライト、シリカゲル、活性炭、親水性の官能基を有する有機高分子材料など、空気中の水分（水蒸気）を吸着できるものが用いられる。また、吸着剤として、いわゆる収着剤を用いてもよい。
【００８９】
調湿ケーシング（111）の内部空間において、下流側仕切板（172）の前面に沿った空間は、上下に仕切られており、この上下に仕切られた空間のうち、上側の空間が給気側通路（131）を構成し、下側の空間が排気側通路（133）を構成している。
【００９０】
上流側仕切板（171）には、開閉式のダンパ（141〜144）が４つ設けられている。各ダンパ（141〜144）は、概ね横長の長方形状に形成されている。具体的に、上流側仕切板（171）のうち内気側通路（132）に面する部分（上側部分）では、中央仕切板（173）よりも右側に第１内気側ダンパ（141）が取り付けられ、中央仕切板（173）よりも左側に第２内気側ダンパ（142）が取り付けられる。また、上流側仕切板（171）のうち外気側通路（134）に面する部分（下側部分）では、中央仕切板（173）よりも右側に第１外気側ダンパ（143）が取り付けられ、中央仕切板（173）よりも左側に第２外気側ダンパ（144）が取り付けられる。
【００９１】
下流側仕切板（172）には、開閉式のダンパ（145〜148）が４つ設けられている。各ダンパ（145〜148）は、概ね横長の長方形状に形成されている。具体的に、下流側仕切板（172）のうち給気側通路（131）に面する部分（上側部分）では、中央仕切板（173）よりも右側に第１給気側ダンパ（145）が取り付けられ、中央仕切板（173）よりも左側に第２給気側ダンパ（146）が取り付けられる。また、下流側仕切板（172）のうち排気側通路（133）に面する部分（下側部分）では、中央仕切板（173）よりも右側に第１排気側ダンパ（147）が取り付けられ、中央仕切板（173）よりも左側に第２排気側ダンパ（148）が取り付けられる。尚、上記８つのダンパ（141〜148）は、本発明に係る空気通路切換器を構成している。
【００９２】
調湿ケーシング（111）内において、給気側通路（131）及び排気側通路（133）と前面パネル部（112）との間の空間は、仕切板（177）によって左右に仕切られており、仕切板（177）の右側の空間が給気ファン室（136）を構成し、仕切板（177）の左側の空間が排気ファン室（135）を構成している。
【００９３】
上記構成において、内気側通路（132）と外気側通路（134）と給気側通路（131）と排気側通路（133）とにより、室外から室内へ向かう空気通路と室内から室外へ向かう空気通路とが構成され、この２つの空気通路により第１空気通路（161）と第２空気通路（162）が構成されている。そして、第１空気通路（161）側と第２空気通路（162）側にそれぞれ４つのダンパが含まれることになり、第１空気通路（161）と第２空気通路（162）における空気の流通経路が、上記ダンパ（141〜148）により切り換えられるように構成されている。
【００９４】
給気ファン室（136）には、給気ファン（126）が収容されている。また、排気ファン室（135）には排気ファン（125）が収容されている。給気ファン（126）及び排気ファン（125）は、何れも遠心型の多翼ファン（いわゆるシロッコファン）である。給気ファン（126）は、下流側仕切板（172）側から吸い込んだ空気を給気口（122）へ吹き出す。排気ファン（125）は、下流側仕切板（172）側から吸い込んだ空気を排気口（121）へ吹き出す。
【００９５】
給気ファン室（136）には、冷媒回路（150）の圧縮機（153）と四路切換弁（154）とが収容されている。圧縮機（153）及び四路切換弁（154）は、給気ファン室（136）における給気ファン（126）と仕切板（177）との間に配置されている。
【００９６】
調湿ケーシング（111）内において、第１仕切板（174）と第１側面パネル部（114）の間の空間は、第１バイパス通路（181）を構成している。第１バイパス通路（181）の始端は、外気側通路（134）だけに連通しており、内気側通路（132）からは遮断されている。第１バイパス通路（181）の終端は、仕切板（178）によって、給気側通路（131）、排気側通路（133）、及び給気ファン室（136）から区画されている。仕切板（178）のうち給気ファン室（136）に臨む部分には、第１バイパス用ダンパ（183）が設けられている。
【００９７】
調湿ケーシング（111）内において、第２仕切板（175）と第２側面パネル部（115）の間の空間は、第２バイパス通路（182）を構成している。第２バイパス通路（182）の始端は、内気側通路（132）だけに連通しており、外気側通路（134）からは遮断されている。第２バイパス通路（182）の終端は、仕切板（179）によって、給気側通路（131）、排気側通路（133）、及び排気ファン室（135）から区画されている。仕切板（179）のうち排気ファン室（135）に臨む部分には、第２バイパス用ダンパ（184）が設けられている。
【００９８】
なお、図９の右側面図及び左側面図では、第１バイパス通路（181）、第２バイパス通路（182）、第１バイパス用ダンパ（183）、及び第２バイパス用ダンパ（184）の図示を省略している。
【００９９】
〈冷媒回路の構成〉
図１０に示すように、冷媒回路（150）は、第１吸着熱交換器（151）、第２吸着熱交換器（152）、圧縮機（153）、四路切換弁（154）、及び電動膨張弁（155）が設けられた閉回路である。この冷媒回路（150）は、充填された冷媒を循環させることによって、蒸気圧縮冷凍サイクルを行う。冷媒回路（150）は、本発明に係る熱媒回路を構成している。
【０１００】
冷媒回路（150）において、圧縮機（153）は、その吐出側が四路切換弁（154）の第１のポートに、その吸入側が四路切換弁（154）の第２のポートにそれぞれ接続されている。また、冷媒回路（150）では、第１吸着熱交換器（151）と電動膨張弁（155）と第２吸着熱交換器（152）とが、四路切換弁（154）の第３のポートから第４のポートへ向かって順に接続されている。
【０１０１】
上記圧縮機（153）は、密閉型で高圧ドーム型に構成されている。具体的に、この圧縮機（153）は、図示はしないが、スクロール型の圧縮機構と、該圧縮機構を駆動する電動機とを、円筒状のハウジングに収納して構成されている。上記圧縮機（153）の電動機には、インバータが接続されている。このインバータは、所定の出力周波数の制御電力を電動機に供給する。電動機の回転速度は、供給された交流の周波数によって定まり、その結果、圧縮機（153）の運転容量が設定される。圧縮機（153）の容量を変更すると、それに応じて上記冷媒回路（150）における冷媒の循環量が変化し、それによって第１及び第２吸着熱交換器（151,152）の冷却能力が変化する。圧縮機（153）は、調湿コントローラ（165）に接続され、インバータの出力周波数は調湿コントローラ（165）によって制御されている。
【０１０２】
四路切換弁（154）は、第１のポートと第３のポートが連通して第２のポートと第４のポートが連通する第１調湿状態（図１０（Ａ)に示す状態）と、第１のポートと第４のポートが連通して第２のポートと第３のポートが連通する第２調湿状態（図１０（Ｂ)に示す状態）とに切り換え可能となっている。
【０１０３】
冷媒回路（150）において、圧縮機（153）の吐出側と四路切換弁（154）の第１のポートとを繋ぐ配管には、高圧圧力センサ（191）と、吐出管温度センサ（193）とが取り付けられている。高圧圧力センサ（191）は、圧縮機（153）から吐出された冷媒の圧力を計測する。吐出管温度センサ（193）は、圧縮機（153）から吐出された冷媒の温度を計測する。
【０１０４】
また、冷媒回路（150）において、圧縮機（153）の吸入側と四路切換弁（154）の第２のポートとを繋ぐ配管には、低圧圧力センサ（192）と、吸入管温度センサ（194）とが取り付けられている。低圧圧力センサ（192）は、圧縮機（153）へ吸入される冷媒の圧力を計測する。吸入管温度センサ（194）は、圧縮機（153）へ吸入される冷媒の温度を計測する。
【０１０５】
また、冷媒回路（150）において、四路切換弁（154）の第３のポートと第１吸着熱交換器（151）とを繋ぐ配管には、配管温度センサ（195）が取り付けられている。配管温度センサ（195）は、この配管における四路切換弁（154）の近傍に配置され、配管内を流れる冷媒の温度を計測する。
【０１０６】
以上説明した本実施形態２の調湿装置（110）の構成を要約すると、調湿ケーシング（111）内には、吸着剤が担持された第１吸着部材としての第１吸着熱交換器（151）が配置される第１空気通路（161）と、吸着剤が担持された第２吸着部材としての第２吸着熱交換器（152）が配置される第２空気通路（162）とが形成されている。また、この調湿ケーシング（111）内には、各吸着熱交換器（151,152）を加熱または冷却する温度調節機構として上記冷媒回路（150）が設けられている。
【０１０７】
また、調湿ケーシング（111）内には、第１吸着熱交換器（151）を加熱して第２吸着熱交換器（152）を冷却する第１動作と第１吸着熱交換器（151）を冷却して第２吸着熱交換器（152）を加熱する第２動作を切り換える温度調節切換器を構成する四路切換弁（154）と、上記第１空気通路（161）と第２空気通路（162）を交互に室内への空気供給経路に切り換える空気通路切換器としてのダンパ（141〜148）が設けられている。
【０１０８】
上記冷媒回路（150）には、冷媒の循環方向を可逆に切り換えることが可能な切換機構として四路切換弁（154）が設けられている。尚、この四路切換弁（154）は本発明に係る回路切換機構を構成するものである。
【０１０９】
調湿装置（110）は、図９、及び図１０に示すように、その制御手段として調湿コントローラ（165）を有している。調湿コントローラ（165）は、冷却側の吸着熱交換器（152,151）を通った空気を室内に供給し、加熱側の吸着熱交換器（151,152）を通った空気を室外に排出する後述の除湿換気運転時に、圧縮機（153）の運転周波数に基づいて上記ダンパ（141〜148）による空気通路（161,162）の切り換え動作を、上記四路切換弁（154）による冷媒回路（150）の冷媒循環方向の切り換え動作から所定の遅延時間（t2）を経過させた後に実行するものであって、本発明に係る切換調節器を構成している。また、調湿コントローラ（165）には、上記圧縮機（153）が接続され、該調湿コントローラ（165）はインバータの出力周波数を制御している。更に、調湿コントローラ（165）は、周波数側時間調節部（166）を有している。
【０１１０】
上記周波数側時間調節部（166）は、圧縮機（153）のインバータの出力周波数に基づいて各吸着熱交換器（151,152）での冷却動作を制御するものであって、本発明に係る周波数側時間調節器を構成している。具体的に、周波数側時間調節部（166）は、上記ダンパ（141〜148）及び四路切換弁（154）に接続されている。周波数側時間調節部（166）は、圧縮機（153）の運転周波数が通常運転時の運転周波数（図１５のＡ状態）である場合、その運転周波数に応じた所定の遅延時間（t2）（例えば５秒程度）を設定する。そして、調湿コントローラ（165）は、図１６に示すように、上記四路切換弁（154）による吸着熱交換器（151,152）の切り換え動作から所定の遅延時間（t2）（５秒程度）を経過した後、上記ダンパ（141〜148）による空気通路（161,162）の切り換え動作を行うようにする。一方、圧縮機（153）は、その運転周波数を室内の空調負荷に応じて適宜変更している。そして、室内の空調負荷が上昇すると、圧縮機（153）の運転周波数は、上述したＡ状態よりも高い運転周波数（図１５のＢ状態）に設定される。このとき、圧縮機（153）の運転周波数が高くなるのに伴って除湿換気運転時の一のバッチ動作における最大温度（Tmax）と最小温度（Tmin）との差分（ΔT2=Tmax-Tmin）が高くなる。したがって、圧縮機（153）の運転周波数がＢ状態となった場合は、所定の遅延時間（t2）を長くする（例えば１０秒程度）。そして、調湿コントローラ（165）は、図１６に示すように、上記四路切換弁（154）による吸着熱交換器（151,152）の切り換え動作から所定の遅延時間（t2）（１０秒程度）を経過した後、上記ダンパ（141〜148）による空気通路（161,162）の切り換え動作を行うようにする。周波数側時間調節部（166）は、圧縮機（153）の運転周波数がＢ状態よりも高く設定されると、運転周波数の上昇に応じて上記所定の遅延時間（t2）をさらに長くする。
【０１１１】
−運転動作−
本実施形態２の調湿装置（110）は、除湿換気運転（除湿運転）と、加湿換気運転（加湿運転）と、単純換気運転とを選択的に行う。除湿換気運転中や加湿換気運転中の調湿装置（110）は、取り込んだ室外空気（OA）を湿度調節してから供給空気（SA）として室内へ供給すると同時に、取り込んだ室内空気（RA）を排出空気（EA）として室外へ排出する。一方、単純換気運転中の調湿装置（110）は、取り込んだ室外空気（OA）をそのまま供給空気（SA）として室内へ供給すると同時に、取り込んだ室内空気（RA）をそのまま排出空気（EA）として室外へ排出する。
【０１１２】
〈除湿換気運転〉
除湿換気運転中の調湿装置（110）では、後述する第１動作と第２動作が所定の時間間隔（例えば３分間隔）で交互に繰り返される。この除湿換気運転中において、第１バイパス用ダンパ（183）及び第２バイパス用ダンパ（184）は、常に閉状態となる。
【０１１３】
除湿換気運転中の調湿装置（110）では、室外空気（OA）が外気吸込口（124）から調湿ケーシング（111）内へ第１空気として取り込まれ、室内空気（RA）が内気吸込口（123）から調湿ケーシング（111）内へ第２空気として取り込まれる。
【０１１４】
先ず、除湿換気運転の第１動作について説明する。図１１に示すように、この第１動作中には、第１内気側ダンパ（141）、第２外気側ダンパ（144）、第２給気側ダンパ（146）、及び第１排気側ダンパ（147）が開状態となり、第２内気側ダンパ（142）、第１外気側ダンパ（143）、第１給気側ダンパ（145）、及び第２排気側ダンパ（148）が閉状態となる。また、この第１動作中の冷媒回路（150）では、四路切換弁（154）が第１調湿状態（図１０（Ａ)に示す状態）に設定され、第１吸着熱交換器（151）が凝縮器となって第２吸着熱交換器（152）が蒸発器となる。
【０１１５】
外気側通路（134）へ流入して外気側フィルタ（128）を通過した第１空気は、第２外気側ダンパ（144）を通って第２熱交換器室（138）へ流入し、その後に第２吸着熱交換器（152）を通過する。第２吸着熱交換器（152）では、第１空気中の水分が吸着剤に吸着され、その際に生じた吸着熱が冷媒に吸熱される。第２吸着熱交換器（152）で除湿された第１空気は、第２給気側ダンパ（146）を通って給気側通路（131）へ流入し、給気ファン室（136）を通過後に給気口（122）を通って室内へ供給される。
【０１１６】
一方、内気側通路（132）へ流入して内気側フィルタ（127）を通過した第２空気は、第１内気側ダンパ（141）を通って第１熱交換器室（137）へ流入し、その後に第１吸着熱交換器（151）を通過する。第１吸着熱交換器（151）では、冷媒で加熱された吸着剤から水分が脱離し、この脱離した水分が第２空気に付与される。第１吸着熱交換器（151）で水分を付与された第２空気は、第１排気側ダンパ（147）を通って排気側通路（133）へ流入し、排気ファン室（135）を通過後に排気口（121）を通って室外へ排出される。
【０１１７】
次に、除湿換気運転の第２動作について説明する。図１２に示すように、この第２動作中には、第２内気側ダンパ（142）、第１外気側ダンパ（143）、第１給気側ダンパ（145）、及び第２排気側ダンパ（148）が開状態となり、第１内気側ダンパ（141）、第２外気側ダンパ（144）、第２給気側ダンパ（146）、及び第１排気側ダンパ（147）が閉状態となる。また、この第２動作中の冷媒回路（150）では、四路切換弁（154）が第２調湿状態（図１０（Ｂ)に示す状態）に設定され、第１吸着熱交換器（151）が蒸発器となって第２吸着熱交換器（152）が凝縮器となる。
【０１１８】
外気側通路（134）へ流入して外気側フィルタ（128）を通過した第１空気は、第１外気側ダンパ（143）を通って第１熱交換器室（137）へ流入し、その後に第１吸着熱交換器（151）を通過する。第１吸着熱交換器（151）では、第１空気中の水分が吸着剤に吸着され、その際に生じた吸着熱が冷媒に吸熱される。第１吸着熱交換器（151）で除湿された第１空気は、第１給気側ダンパ（145）を通って給気側通路（131）へ流入し、給気ファン室（136）を通過後に給気口（122）を通って室内へ供給される。
【０１１９】
一方、内気側通路（132）へ流入して内気側フィルタ（127）を通過した第２空気は、第２内気側ダンパ（142）を通って第２熱交換器室（138）へ流入し、その後に第２吸着熱交換器（152）を通過する。第２吸着熱交換器（152）では、冷媒で加熱された吸着剤から水分が脱離し、この脱離した水分が第２空気に付与される。第２吸着熱交換器（152）で水分を付与された第２空気は、第２排気側ダンパ（148）を通って排気側通路（133）へ流入し、排気ファン室（135）を通過後に排気口（121）を通って室外へ排出される。
【０１２０】
〈第１動作と第２動作の切換制御〉
この調湿装置（110）では、上記調湿コントローラ（165）及び周波数側時間調節部（166）により、加熱側の吸着熱交換器（151,152）を通った空気を室外に排出して冷却側の吸着熱交換器（152,151）を通った空気を室内に供給する除湿換気運転時には、図１６に示すように、上記ダンパ（141〜148）による空気通路（161,162）の切り換え動作を、上記四路切換弁（154）による吸着熱交換器（151,152）の加熱側と冷却側の切り換え動作よりも時間的に遅らせて実行するようにしている。具体的には、図１６に示すように、圧縮機（153）の運転周波数が、例えばＡ状態よりも高いＢ状態に設定されると、調湿コントローラ（165）の周波数側時間調節部（166）は、四路切換弁（154）による吸着熱交換器（151,152）の切り換え動作から所定の遅延時間（t2）（例えば５秒）が経過した後、ダンパ（141〜148）による空気通路（161,62）の切り換え動作を行うようにしている。尚、この所定の遅延時間（t2）は一例であり、適宜変更してもよい。
【０１２１】
〈加湿換気運転〉
加湿換気運転中の調湿装置（110）では、後述する第１動作と第２動作が所定の時間間隔（例えば３分間隔）で交互に繰り返される。この加湿換気運転中において、第１バイパス用ダンパ（183）及び第２バイパス用ダンパ（184）は、常に閉状態となる。
【０１２２】
加湿換気運転中の調湿装置（110）では、室外空気が外気吸込口（124）から調湿ケーシング（111）内へ第２空気として取り込まれ、室内空気が内気吸込口（123）から調湿ケーシング（111）内へ第１空気として取り込まれる。
【０１２３】
先ず、加湿換気運転の第１動作について説明する。図１３に示すように、この第１動作中には、第２内気側ダンパ（142）、第１外気側ダンパ（143）、第１給気側ダンパ（145）、及び第２排気側ダンパ（148）が開状態となり、第１内気側ダンパ（141）、第２外気側ダンパ（144）、第２給気側ダンパ（146）、及び第１排気側ダンパ（147）が閉状態となる。また、この第１動作中の冷媒回路（150）では、四路切換弁（154）が第１調湿状態（図１０（Ａ)に示す状態）に設定され、第１吸着熱交換器（151）が凝縮器となって第２吸着熱交換器（152）が蒸発器となる。
【０１２４】
内気側通路（132）へ流入して内気側フィルタ（127）を通過した第１空気は、第２内気側ダンパ（142）を通って第２熱交換器室（138）へ流入し、その後に第２吸着熱交換器（152）を通過する。第２吸着熱交換器（152）では、第１空気中の水分が吸着剤に吸着され、その際に生じた吸着熱が冷媒に吸熱される。第２吸着熱交換器（152）で水分を奪われた第１空気は、第２排気側ダンパ（148）を通って排気側通路（133）へ流入し、排気ファン室（135）を通過後に排気口（121）を通って室外へ排出される。
【０１２５】
一方、外気側通路（134）へ流入して外気側フィルタ（128）を通過した第２空気は、第１外気側ダンパ（143）を通って第１熱交換器室（137）へ流入し、その後に第１吸着熱交換器（151）を通過する。第１吸着熱交換器（151）では、冷媒で加熱された吸着剤から水分が脱離し、この脱離した水分が第２空気に付与される。第１吸着熱交換器（151）で加湿された第２空気は、第１給気側ダンパ（145）を通って給気側通路（131）へ流入し、給気ファン室（136）を通過後に給気口（122）を通って室内へ供給される。
【０１２６】
次に、加湿換気運転の第２動作について説明する。図１４に示すように、この第２動作中には、第１内気側ダンパ（141）、第２外気側ダンパ（144）、第２給気側ダンパ（146）、及び第１排気側ダンパ（147）が開状態となり、第２内気側ダンパ（142）、第１外気側ダンパ（143）、第１給気側ダンパ（145）、及び第２排気側ダンパ（148）が閉状態となる。また、この第２動作中の冷媒回路（150）では、四路切換弁（154）が第２調湿状態（図１０（Ｂ)に示す状態）に設定され、第１吸着熱交換器（151）が蒸発器となって第２吸着熱交換器（152）が凝縮器となる。
【０１２７】
内気側通路（132）へ流入して内気側フィルタ（127）を通過した第１空気は、第１内気側ダンパ（141）を通って第１熱交換器室（137）へ流入し、その後に第１吸着熱交換器（151）を通過する。第１吸着熱交換器（151）では、第１空気中の水分が吸着剤に吸着され、その際に生じた吸着熱が冷媒に吸熱される。第１吸着熱交換器（151）で水分を奪われた第１空気は、第１排気側ダンパ（147）を通って排気側通路（133）へ流入し、排気ファン室（135）を通過後に排気口（121）を通って室外へ排出される。
【０１２８】
一方、外気側通路（134）へ流入して外気側フィルタ（128）を通過した第２空気は、第２外気側ダンパ（144）を通って第２熱交換器室（138）へ流入し、その後に第２吸着熱交換器（152）を通過する。第２吸着熱交換器（152）では、冷媒で加熱された吸着剤から水分が脱離し、この脱離した水分が第２空気に付与される。第２吸着熱交換器（152）で加湿された第２空気は、第２給気側ダンパ（146）を通って給気側通路（131）へ流入し、給気ファン室（136）を通過後に給気口（122）を通って室内へ供給される。
【０１２９】
−実施形態２の効果−
上記実施形態２によれば、除湿換気運転時に、各ダンパ（141〜148）の切換動作を四路切換弁（154）の切換動作よりも所定の遅延時間（t2）が経過した後に実行するようにしたため、遅延時間（t2）の間、再生側となる吸着熱交換器（151,152）の吸着剤を冷却することができる。
【０１３０】
また、周波数側時間調節器（166）を設けたため、圧縮機（153）の運転周波数に基づいて所定の遅延時間（t2）の長さを調節するようことができる。つまり、別途空気温度センサ等のセンサ部材を用いることなく、吸着剤を温度に応じて冷却動作時間（t2）を設定することができる。さらに、圧縮機（153）の運転周波数が高いほど、所定の遅延時間（t2）を長くするようにしたため、圧縮機（153）の運転周波数が上昇して吸着剤の温度が高くなっても、温度上昇に対応して吸着剤を確実に冷却することができる。これらにより、室内へ供給される空気の温度変動を抑制することができる。この結果、半導体工場のクリーンルーム等での温度制御を高い精度で行うことができる。
【０１３１】
また、第１吸着熱交換器（151）及び第２吸着熱交換器（152）を設けたため、冷媒回路（150）の冷媒の循環方向を切り換えることで各吸着熱交換器（151,152）の吸着側と再生側とを簡単に切り換えることができる。その他の構成・作用及び効果は実施形態１と同様である。
【０１３２】
〈実施形態２の変形例〉
上記実施形態２では、調湿装置（110）の圧縮機（153）の運転周波数に応じて所定の遅延時間（t2）を決定していたのに変えて、調湿装置（110）の供給空気（SA）の温度に基づいて遅延時間（t3）を決定するようにしたものである。
【０１３３】
具体的には、図１７に示すように、室外空気温度センサ（198）と、蒸発温度センサ（199）とが設けられている。
【０１３４】
上記室外空気温度センサ（198）は、外気吸込口（124）から吸い込まれた室外空気（OA）の温度を計測するためのものである。室外空気温度センサ（198）は、調湿ケーシング（111）内の外気側通路（134）に設置される一方、調湿コントローラ（165）に接続され、計測した室外空気（OA）の温度データは調湿コントローラ（165）に送られる。
【０１３５】
上記蒸発温度センサ（199）は、蒸発器として動作する吸着熱交換器（151,152）の蒸発温度を計測するためのものである。蒸発温度センサ（199）は、各吸着熱交換器（151,152）の近傍に設置される一方、調湿コントローラ（165）に接続され、計測した各吸着熱交換器（151,152）の蒸発温度データは調湿コントローラ（165）に送られる。
【０１３６】
調湿装置（110）の除湿換気運転時において、調湿コントローラ（165）は、上記各センサ（198,199）から送られた温度データに基づいて調湿装置（110）の供給空気（SA）の温度を求める。そして、調湿コントローラ（165）は、一のバッチ動作における供給空気（SA）の温度の最大温度（Tmax）と最小温度（Tmin）との差分（ΔT2=Tmax-Tmin）を求め、該ΔT2と、室内の温度のばらつきの許容温度範囲であるΔT1との差分に応じて冷却動作時間（t3）を設定する。尚、冷却動作時間（t3）は、図１８に示す対応表から決定される。例えば、ΔT2=１０℃で、且つΔT1が２℃であれば、冷却動作時間（t3）は６０秒となる。つまり、除湿換気運転時において、上記四路切換弁（154）による吸着熱交換器（151,152）の加熱側と冷却側の切り換え動作から冷却動作時間（t3）が経過した後に、上記ダンパ（141〜148）による空気通路（161,162）の切り換え動作を行うようにしている。尚、図１８に示す冷却動作時間（t3）は一例であり、適宜変更してもよい。その他の構成・作用及び効果は実施形態２と同様である。
【０１３７】
〈その他の実施形態〉
本発明は、上記実施形態１について、以下のような構成としてもよい。
【０１３８】
実施形態１では、供給空気温度センサ（43）で計測した温度に基づいて冷却動作時間（t1）を求めるようにしたが、本発明は、例えば、排出空気（EA）の温度を計測する排出空気温度センサを排気通路（26）に設置し、この排出空気温度センサで計測した温度に基づいて冷却動作時間（t1）を求めるようにしてもよい。
【０１３９】
また、実施形態１では、三方弁（85）を第２の状態（冷却側）に切り換えて吸着剤を冷却するようにしたが、本発明は、熱交換器（45）への温水の供給を停止することで吸着剤を冷却するようにしてもよい。
【０１４０】
尚、以上の実施形態は、本質的に好ましい例示であって、本発明、その適用物、あるいはその用途の範囲を制限することを意図するものではない。
【産業上の利用可能性】
【０１４１】
以上説明したように、本発明は、２つの吸着素子で交互に空気を除湿する調湿装置について有用である。
【符号の説明】
【０１４２】
１１          除湿ケーシング
４３          供給空気温度センサ
４５          熱交換器
６１          第１吸着素子
６２          第２吸着素子
９１          温度側時間調節部
１１１        調湿ケーシング
１４１        第１内気側ダンパ
１４２        第２内気側ダンパ
１４３        第１外気側ダンパ
１４４        第２外気側ダンパ
１４５        第１給気側ダンパ
１４６        第２給気側ダンパ
１４７        第１排気側ダンパ
１４８        第２排気側ダンパ
１５０        冷媒回路
１５１        第１吸着熱交換器
１５２        第２吸着熱交換器
１５３        圧縮機
１５４        四路切換弁
１６１        第１空気通路
１６２        第２空気通路
１６５        調湿コントローラ
１６６        周波数側時間調節部
【図１】
2010281476.tif 000003
【図２】
2010281476.tif 000004
【図３】
2010281476.tif 000005
【図４】
2010281476.tif 000006
【図５】
2010281476.tif 000007
【図６】
2010281476.tif 000008
【図７】
2010281476.tif 000009
【図８】
2010281476.tif 000010
【図９】
2010281476.tif 000011
【図１０】
2010281476.tif 000012
【図１１】
2010281476.tif 000013
【図１２】
2010281476.tif 000014
【図１３】
2010281476.tif 000015
【図１４】
2010281476.tif 000016
【図１５】
2010281476.tif 000017
【図１６】
2010281476.tif 000018
【図１７】
2010281476.tif 000019
【図１８】
2010281476.tif 000020